(57)【要約】【課題】  本発明は、蔓科の植物が、その成長に伴い蔓を延ばしてゆくのに際し、蔓の健やかな延長と蔓におけるスイカやカボチャなどの適切な実りとを実現させるための補助シートを提供することを課題とする。【解決手段】  織物または編物としての通気性および通水性を有するムシロ状シート部分２と、同シート部分２から上方へ浮き上がるように同シート部分２に織り込まれた付加的織込み部分３とを備えて補助シート１が構成されている。この補助シート１を畝側方の平地面に敷くことによって、畝における蔓科植物から側方へ延びてきた蔓のヒゲ状部分を付加的織込み部分３に巻き付かせることができ、このようにして安定よく蔓科植物の発育を補助することができる。また、この補助シート１は、これを支柱などで起立させることにより、朝顔などの鑑賞用蔓科植物の育成にも利用することができる。【選択図】          図１
2005176740.tif 000002
【特許請求の範囲】
【請求項１】
織物または編物としてのシートであって、同シートが、通気性および通水性を有するムシロ状シート部分と、蔓科植物の生育に応じて同植物から延びる蔓のヒゲ状部分を巻き付かせるべく上記ムシロ状シート部分から上方へ波状に浮き上がるように同ムシロ状シート部分に織り込まれた付加的織込み部分とを備えて構成されていることを特徴とする、蔓科植物育成用補助シート。
【請求項２】
上記ムシロ状シート部分が、淡色系のプラスチック材により構成されていることを特徴とする、請求項１に記載の蔓科植物育成用補助シート。
【請求項３】
上記のムシロ状シート部分および付加的織込み部分が、いずれも光触媒としての酸化チタンを含有する有機高分子材により構成されていることを特徴とする、請求項１または２に記載の蔓科植物育成用補助シート。
【発明の詳細な説明】
【技術分野】
【０００１】
本発明は、蔓科の農作物を栽培したり、園芸用の蔓科植物を栽培したりする際に、その育成を補助するために用いられるシートに関する。
【背景技術】
【０００２】
畑地の畝に沿って農作物として栽培されるナスなどの植物の育成を補助するため、同植物の根元部付近において土壌の表面に接するようにカバーシートを敷く技術が開発されているが、カボチャやスイカのごとき蔓科植物については、その蔓が畝から側方へ地面を這って延在するように成長し、蔓の部分で花が咲き実がなるので、これに対応する栽培技術の開発が求められている。
【特許文献１】特願２００２−１０５３６６
【発明の開示】
【発明が解決しようとする課題】
【０００３】
解決しようとする問題点は、蔓科の植物が、その成長に伴い蔓を延ばしてゆくのに際し、どのような処置を施して、蔓の健やかな延長と蔓になるスイカやカボチャなどの実の適切な成育とを実現させるかという点である。また、収穫後の後始末についても、十分な配慮を施すことが必要とされる。
【課題を解決するための手段】
【０００４】
本発明の蔓科植物育成用補助シートは、畑に形成された畝の側方の平地面などを覆うための通気性および通水性を有するムシロ状シート部分と、蔓科植物の成育に応じて同植物から延び出る蔓のヒゲ状部分を巻き付かせるため上記ムシロ状シート部分から上方へ波状に浮き上がるように同ムシロ状シート部分に織り込まれた付加的織込み部分とを備えたことを特徴としている。
【０００５】
また、本発明の蔓科植物育成用補助シートは、上記ムシロ状シート部分が、上記蔓において成育する植物の実の下半部への太陽光の照り返しを実現させるため、淡色系のプラスチック材により構成されていることを特徴とする。
【０００６】
さらに、本発明の蔓科植物育成用補助シートは、蔓科植物の実の収穫後に同シートの後始末を容易にするため、上記のムシロ状シート部分および付加的織込み部分が、所定期間にわたる太陽光の照射により分解して土壌に還元するように、光触媒としての酸化チタンを含有する有機高分子材により構成されていることを特徴としている。
【発明の効果】
【０００７】
本発明の蔓科植物育成用補助シートでは、畝の側方の平地面などに敷設されるムシロ状シート部分により、雑草の繁殖が防止されるとともに、畝に植えられた蔓科植物から上記シート部分の上面に沿って延び出た蔓のヒゲ状部分が、上記の波状に浮き上がるように起立して織り込まれた付加的織込み部分に巻き付いて、上記蔓の位置保持が風雨の際にも適切に行われるので、その蔓に花が咲いて農作物の実が豊かに実るようになる。
【０００８】
また、ムシロ状シート部分を支柱で支持するようにして起立させることにより、朝顔などの観賞用蔓科植物を栽培する場合にも、その蔓のヒゲ状部分を上記付加的織込み部分に巻き付かせて、効率よく育成することができる。
【０００９】
さらに、上記ムシロ状シート部分が淡色系のプラスチック材により構成されている場合は、上記蔓において成育する植物の実の下半部への上記シート部分からの太陽光の照り返しを実現させるので、その色付きなどの育成をむらなく助長する利点が得られる。
【００１０】
そして、上記のムシロ状シート部分および付加的織込み部分が、光触媒としての酸化チタンを含有する有機高分子材により構成されていると、蔓科植物の実の収穫後における上記シートなどの土壌への還元により、その後始末にかかる手間の軽減をはかることができる。
【発明を実施するための最良の形態】
【００１１】
畑地の畝から側方へ蔓を延ばすように成育する蔓科農作物にとって、雑草の繁茂の抑制と上記蔓の位置保持とが、通気性および通水性を有するムシロ状シート部分および同シート部分から波状に起立した付加的織込み部分によって適切に且つ十分に達成され、また上記ムシロ状シート部分を淡色系のプラスチック材で構成することにより太陽光の照り返しで農作物の実の下半部の十分な成育も助長するようになる。
【００１２】
そして、上記のムシロ状シート部分および付加的織込み部分が光触媒を含む有機高分子材で形成されることで、その自然分解による土壌への還元により、後始末に伴う人手の大幅な削減が期待される。
【００１３】
さらに、本発明の蔓科植物育成用補助シートによれば、そのムシロ状部分を支柱などで立ち上げるように支持して、これに沿い朝顔などの鑑賞用蔓科植物を適切に支持しながら育成することもできる。
【実施例】
【００１４】
図１は本発明の一実施例としての蔓科植物育成用補助シートを示す斜視図、図２および図３は、いずれも上記補助シートの使用状態を示す説明図である。
【００１５】
図１に示すように、織物または編物としてのシート１は、通気性および通水性を有する織物または編物としてのムシロ状シート部分２と、同シート部分２から波状に浮き上がるように同シート部分２に織り込まれた付加的織込み部分３とで構成されている。
【００１６】
そして、シート部分２および付加的織込み部分３の素材としては、いずれも光触媒としての酸化チタン（二酸化チタン）を含んだ有機高分子材（ポリエチレン平面糸など）が用いられる。
【００１７】
さらに、上述の素材の色としては、太陽光の照り返しによる植物への照射を向上させるように、白色や薄緑色などの淡色系のものを採用することが好ましいが、蓄熱のための黒色などの濃色系のものを用いることもある。
【００１８】
上述のような蔓科植物育成用補助シート１を、図２（ａ）,（ｂ）に示すように、畑の畝４の側方における平地面４ａ上に敷きつめておくと、畝４におけるカボチャなどの蔓科植物５から側方へ延び出した蔓６のヒゲ状部分６ａが、波状に浮き上がった付加的織込み部分３に絡み付いて、蔓６の姿勢が風の影響を受けることなく安定した状態に保たれ、やがて花が咲き実７がなるようになる。その際、シート１が淡色系の色彩を有していると太陽光がシート１から効率よく反射して、実７の下半部へ照り返し、このようにして実７の育成が十分に行われるようになる。
【００１９】
そして、実７の収穫が終了してシート１を片付ける場合、シート１が光触媒としての酸化チタンを適度に含んだ有機高分子材で作られていると、長時間にわたり太陽光を受けたシート１は崩れやすく劣化した状態になっているので、これを土に捲き込むようにして土壌に還元し容易に処理することができる。
【００２０】
図３は、本実施例の蔓科植物育成用補助シート１におけるムシロ状部分２を、植木鉢８などにおいて支柱９を用いて立ち上げるように支持し、これに沿い朝顔などの鑑賞用蔓科植物10を植え付けた状態を示している。このようにして、本実施例の蔓科植物育成用補助シートは、鑑賞用蔓科植物の育成にも利用することができるが、この場合は、シート１におけるムシロ状シート部分２や付加的織込み部分３の素材として、光触媒を含まない通常のプラスチック材が用いられる。
【産業上の利用可能性】
【００２１】
本発明の蔓科植物育成用補助シートは、ビルの屋上やビル頂部の側壁などにも、簡単に敷設することができるので、これを利用して大規模に蔓科植物を繁茂させることにより、都市部における緑化問題の解決にも寄与することが可能である。
【図面の簡単な説明】
【００２２】
【図１】本発明の一実施例としての蔓科植物育成用補助シートを示す斜視図である。
【図２】上記補助シートの使用状態の一例を示す説明図であり、（ａ）図はその全体図、（ｂ）図はその一部の拡大図である。
【図３】上記補助シートの使用状態の他の例を示す説明図である。
【符号の説明】
【００２３】
１  補助シート
２  ムシロ状シート部分
３  付加的織込み部分
４  畝
４ａ  平地面
５  蔓科植物
６  蔓
６ａ  ヒゲ状部分
７  農作物の実
８  植木鉢
９  支柱
10  鑑賞用蔓科植物
【図１】
2005176740.tif 000003
【図２】
2005176740.tif 000004
【図３】
2005176740.tif 000005